Podtech/llm-jp-corpus-v4-ja_patent huggingface dataset:
【手続補正書】
【提出日】令和3年4月9日(2021.4.9)
【手続補正１】
【補正対象書類名】特許請求の範囲
【補正対象項目名】請求項４
【補正方法】変更
【補正の内容】
【請求項４】
請求項２又は請求項３に記載のトレーラであって、
前記設定手段が、前記トレーラと前記牽引車が共に移動する区間を含む移動軌跡を設定した場合に、前記牽引車の制御部に前記トレーラと共に移動することの要求を送信する送信手段を備える、
ことを特徴とするトレーラ。
【手続補正２】
【補正対象書類名】明細書
【補正対象項目名】００１８
【補正方法】変更
【補正の内容】
【００１８】
牽引車２は、牽引車２を前進又は後進させるパワーユニット（ＰＵ）２２を備える。パワーユニット２２は例えばエンジン及び自動変速機を備え、前輪２０ｆを駆動する。パワーユニット２２はアクセルペダル（不図示）に対する運転者の操作により、牽引車２の加速・減速を行う他、制御ユニット（ＥＣＵ）２５の制御により牽引車２の加速・減速を自動的に行うことが可能である。前輪２０ｆ、後輪２０ｒにはそれぞれディスクブレーキ等の制動機構２４が設けられている。制動機構２４はブレーキペダル（不図示）に対する運転者の操作により、牽引車２の制動を行う他、制御ユニット（ＥＣＵ）２５の制御により牽引車２の制動を自動的に行うことが可能である。
【手続補正３】
【補正対象書類名】明細書
【補正対象項目名】００２０
【補正方法】変更
【補正の内容】
【００２０】
牽引車２は、周囲状況を検知する検知ユニット２６を備える。検知ユニット２６は、牽引車２の周辺を監視する外界センサ群である。外界センサは、例えば、カメラ、レーダ、ライダ（Light Detection and Ranging）である。外界センサは、牽引車２の前部、後部、左右の側部にそれぞれ設けることができ、これにより牽引車２の四方を監視することができる。牽引車２は、また、通信装置２７を備える。通信装置２７はトレーラ１と車車間通信を行う通信部や、インターネット等の通信網を介して各種の情報を提供するサーバと通信を行う通信部を含む。
【手続補正４】
【補正対象書類名】明細書
【補正対象項目名】００２３
【補正方法】変更
【補正の内容】
【００２３】
＜自動追従制御＞
トレーラ１は、機械的な連結なく牽引車２に対する自動追従走行が可能である。例えば、トレーラ１の制御ユニット１７は検知ユニット１８の検知結果に基づいて、先導する牽引車２を識別し、牽引車２と一定の距離を維持しながら牽引車２に追従する。牽引車２の識別を容易にするため、牽引車２には識別マークが後部に設けられていてもよく、検知ユニット１８は識別マークを撮影して認識するためのカメラを含んでいてもよい。また、制御ユニット１７と制御ユニット２５との車車間通信によって互いのＩＤ情報を照合し、牽引関係とすべき車両か否かを相互に認識してもよい。
【手続補正５】
【補正対象書類名】明細書
【補正対象項目名】００３４
【補正方法】変更
【補正の内容】
【００３４】
図８（Ａ）は、Ｓ１５の移動軌跡の設定例を示す説明図である。制御ユニット１７は、検知ユニット１８の検知結果から駐車場３内の平面座標を設定し、トレーラ１、牽引車２、各駐車スペース３０、障害物の位置を平面座標上で特定する。そして、制御ユニット１７は、例えば、トレーラ１の停車位置から駐車スペース３０ａにトレーラ１を移動するための１又は複数の移動軌跡の候補を演算する。そして、牽引車２から距離ｒの範囲４内にトレーラ１が維持される移動軌跡を選択する。これにより、牽引車２の乗員がトレーラ１の挙動を監視し易くなる。図８（Ａ）の移動軌跡５０は、トレーラ１を真っ直ぐに後退させ、その後、右前方へ前進させ、その後、左後方へ後退させることで、駐車スペース３０ａにトレーラ１を移動させる軌跡である。
【手続補正６】
【補正対象書類名】明細書
【補正対象項目名】００３６
【補正方法】変更
【補正の内容】
【００３６】
牽引車２から距離ｒの範囲４内にトレーラ１が維持される移動軌跡とは、トレーラ１の全体が範囲４内に維持される軌跡であってもよいが、本実施形態ではトレーラ１の一部が範囲４内に維持される軌跡としている。図８（Ｂ）の移動軌跡５１は、範囲４内にトレーラ１が維持されない移動軌跡の例である。移動軌跡５１は、トレーラ１を真っ直ぐに後退させ、その後、右前方へ前進させ、その後、左後方へ後退させることで、駐車スペース３０ａにトレーラ１を移動させる軌跡である。トレーラ１を真っ直ぐに後退させたときに、トレーラ１の全体が範囲４外に位置するので、移動軌跡５１は基本的に設定されない。
【手続補正７】
【補正対象書類名】明細書
【補正対象項目名】００６０
【補正方法】変更
【補正の内容】
【００６０】
４．上記実施形態のトレーラは、
前記設定手段が、前記トレーラと前記牽引車が共に移動する区間を含む移動軌跡を設定した場合に、前記牽引車の制御部(25)に前記トレーラと共に移動することの要求を送信する送信手段(19,17,S163)を備える。
この実施形態によれば、前記牽引車の前記制御部が、前記トレーラの駐車のために、その移動の必要性を認識し易くなる。
【手続補正８】
【補正対象書類名】明細書
【補正対象項目名】００６３
【補正方法】変更
【補正の内容】
【００６３】
７．上記実施形態のトレーラは、
前記駐車スペースに駐車中に、前記牽引車の制御部から発進指示を受信した場合に、前記駐車スペースから前記トレーラを発進させ、前記牽引車に対する追従を開始させる発進制御手段(17,S18,S19)を備える。
【手続補正書】
【提出日】令和3年4月9日(2021.4.9)
【手続補正１】
【補正対象書類名】明細書
【補正対象項目名】００１８
【補正方法】変更
【補正の内容】
【００１８】
牽引車２は、牽引車２を前進又は後進させるパワーユニット（ＰＵ）２２を備える。パワーユニット２２は例えばエンジン及び自動変速機を備え、前輪２０ｆを駆動する。パワーユニット２２はアクセルペダル２９ａに対する運転者の操作により、牽引車２の加速・減速を行う他、制御ユニット（ＥＣＵ）２５の制御により牽引車２の加速・減速を自動的に行うことが可能である。前輪２０ｆ、後輪２０ｒにはそれぞれディスクブレーキ等の制動機構２４が設けられている。制動機構２４はブレーキペダル２９ｂに対する運転者の操作により、牽引車２の制動を行う他、制御ユニット（ＥＣＵ）２５の制御により牽引車２の制動を自動的に行うことが可能である。
【手続補正２】
【補正対象書類名】明細書
【補正対象項目名】００２０
【補正方法】変更
【補正の内容】
【００２０】
牽引車２は、周囲状況を検知する検知ユニット２６を備える。検知ユニット２６は、牽引車２の周辺を監視する外界センサ群である。外界センサは、例えば、カメラ、レーダ、ライダ（Light Detection and Ranging）である。外界センサは、牽引車２の前部、後部、左右の側部にそれぞれ設けることができ、これにより牽引車２の四方を監視することができる。牽引車２は、また、通信装置２７を備える。通信装置２７はトレーラ１と車車間通信を行う通信部や、インターネット等の通信網を介して各種の情報を提供するサーバと通信を行う通信部を含む。
【手続補正３】
【補正対象書類名】明細書
【補正対象項目名】００２３
【補正方法】変更
【補正の内容】
【００２３】
＜自動追従制御＞
トレーラ１は、機械的な連結なく牽引車２に対する自動追従走行が可能である。例えば、トレーラ１の制御ユニット１７は検知ユニット１８の検知結果に基づいて、先導する牽引車２を識別し、牽引車２と一定の距離を維持しながら牽引車２に追従する。牽引車２の識別を容易にするため、牽引車２には識別マークが後部に設けられていてもよく、検知ユニット１８は識別マークを撮影して認識するためのカメラを含んでいてもよい。また、制御ユニット１７と制御ユニット２５との車車間通信によって互いのＩＤ情報を照合し、牽引関係とすべき車両か否かを相互に認識してもよい。
【手続補正４】
【補正対象書類名】明細書
【補正対象項目名】００２９
【補正方法】変更
【補正の内容】
【００２９】
トレーラ１の制御ユニット１７は、駐車指示を受信し（図１１のＳ１４）、牽引車２への自動追従を終了して自動駐車を開始する。自動駐車制御において、制御ユニット１７は、まず、検知ユニット１８の検知結果により周辺の状況（他の駐車車両Ｖの存在や周辺の構造物、駐車スペース３０ａの位置等）を認識し、停車位置から駐車スペース３０ａまでの移動軌跡を演算して設定する（図１１のＳ１５）。図４は、一例としての移動軌跡４を例示している。図示の移動軌跡４は、トレーラ１が僅かに前進し、その後、左後方へ後進して駐車スペース３０ａに移動する例を示している。
【手続補正５】
【補正対象書類名】明細書
【補正対象項目名】００３７
【補正方法】変更
【補正の内容】
【００３７】
図８の例では、トレーラ１の前端部が、駐車スペース３０ａから幅Ｗだけはみ出して駐車が完了した状態が想定されている。牽引車２の乗員は、車内からトレーラ１の駐車態様を目視で確認し、入出力装置２８を用いて位置調整指示（ここではトレーラ１の後進）を行うことができる。牽引車２の制御ユニット２５は、トレーラ１の制御ユニット１７へ位置調整指示８を送信する。位置調整指示８を受信したトレーラ１の制御ユニット１７は、トレーラ１を後進させ、駐車位置を調整する。位置調整指示の内容は、後進に限らず、前進、左右の移動、駐車スペース３０ａに対するトレーラ１の姿勢矯正を含み得る。トレーラ１の左右の移動、姿勢矯正の場合、トレーラ１の制御ユニット１７はトレーラ１を一旦前進させた後、トレーラ１を操舵しつつ後進させ、目的とする位置調整を行う場合がある。
【手続補正６】
【補正対象書類名】明細書
【補正対象項目名】００３９
【補正方法】変更
【補正の内容】
【００３９】
トレーラ１の自動駐車制御を開始すると、トレーラ１の制御ユニット１７は、Ｓ１０１で移動軌跡４に沿ったトレーラ１の移動を開始し、Ｓ１０２では牽引車２の移動態様を特定して牽引車２の制御ユニット２５へ追従指示を送信する（図５や図６の追従指示６）。牽引車２の制御ユニット２５は、Ｓ２０１で追従指示を受信し、Ｓ２０２で入出力装置２８により牽引車２の乗員に追従指示の内容を報知する（図５や図６の報知５）。追従指示に従って牽引車２が移動しない場合、トレーラ１の制御ユニット１７はトレーラ１の移動を中止してもよい。
【手続補正書】
【提出日】令和2年11月30日(2020.11.30)
【手続補正１】
【補正対象書類名】明細書
【補正対象項目名】発明の名称
【補正方法】変更
【補正の内容】
【発明の名称】装置、制御方法及びプログラム
【手続補正２】
【補正対象書類名】明細書
【補正対象項目名】０００１
【補正方法】変更
【補正の内容】
【０００１】
本発明は、例えばペットロボットなどの装置、装置の制御方法及びプログラムに関する。
【手続補正３】
【補正対象書類名】明細書
【補正対象項目名】０００６
【補正方法】変更
【補正の内容】
【０００６】
本発明の一態様は、動作を行なうデバイスと、外部からの刺激のレベルを検出するセンサと、第１のＣＰＵと、第２のＣＰＵと、を有する装置であって、上記第１のＣＰＵは、上記センサが検出するレベルが予め設定されたしきい値を超えない場合に上記センサから出力されるレベルに対応する動作内容を示す指示信号を生成して、上記第２のＣＰＵへ出力し、上記第２のＣＰＵは、上記第１のＣＰＵから上記指示信号が入力されると、上記指示信号が示す動作内容での上記デバイスの動作を実行するよう制御し、上記センサが検出するレベルが上記しきい値以上の場合に出力される割込み信号が入力されると、上記割込み信号に対応して設定された動作内容での上記デバイスの動作を実行するよう制御する、ことを特徴とする。
【手続補正４】
【補正対象書類名】特許請求の範囲
【補正対象項目名】全文
【補正方法】変更
【補正の内容】
【特許請求の範囲】
【請求項１】
動作を行なうデバイスと、
外部からの刺激のレベルを検出するセンサと、
第１のＣＰＵと、
第２のＣＰＵと、を有する装置であって、
上記第１のＣＰＵは、
上記センサが検出するレベルが予め設定されたしきい値を超えない場合に上記センサから出力されるレベルに対応する動作内容を示す指示信号を生成して、上記第２のＣＰＵへ出力し、
上記第２のＣＰＵは、
上記第１のＣＰＵから上記指示信号が入力されると、上記指示信号が示す動作内容での上記デバイスの動作を実行するよう制御し、
上記センサが検出するレベルが上記しきい値以上の場合に出力される割込み信号が入力されると、上記割込み信号に対応して設定された動作内容での上記デバイスの動作を実行するよう制御する、
ことを特徴とする装置。
【請求項２】
上記第２のＣＰＵは更に、上記割込み信号の入力時、上記割込み信号の入力直前に実行していた上記デバイスの動作の動作内容に基づいて、上記割込み信号に対応して設定された動作内容での動作の実行の可否を判断することを特徴とする請求項１記載の装置。
【請求項３】
上記第２のＣＰＵは更に、上記割込み信号に対応して設定された動作内容での動作の実行が可であると判断した場合、上記割込み信号に対応して設定された動作内容での動作を実行するよう制御した後、上記実行された動作内容を上記第１のＣＰＵに通知することを特徴とする、請求項２記載の装置。
【請求項４】
上記しきい値は、任意に設定可能であることを特徴とする請求項１乃至３のいずれか一項記載の装置。
【請求項５】
上記第２のＣＰＵは更に、上記センサが出力するセンサデータが予め設定された条件を満たす場合に出力される割込み信号が入力されると、上記デバイスに対し上記指示信号が示す動作内容での動作を実行することなく、上記割込み信号に対応して設定された動作内容での上記デバイスの動作を実行するよう制御することを特徴とする請求項１乃至４のいずれか一項記載の装置。
【請求項６】
上記外部の刺激は音声であり、上記センサは上記音声の音圧レベルを検出することを特徴とする請求項１乃至５のいずれか一項記載の装置。
【請求項７】
動作を行なうデバイスと、外部からの刺激のレベルを検出するセンサと、第１のＣＰＵと、第２のＣＰＵと、を有する装置の制御方法であって、
上記第１のＣＰＵが実行する工程は、
上記センサが検出するレベルが予め設定されたしきい値を超えない場合に上記センサから出力されるレベルに対応する動作内容を示す指示信号を生成して、上記第２のＣＰＵへ出力する工程を含み、
上記第２のＣＰＵが実行する工程は、
上記第１のＣＰＵから上記指示信号が入力されると、上記指示信号が示す動作内容での上記デバイスの動作を実行するよう制御する工程と、
上記センサが検出するレベルが上記しきい値以上の場合に出力される割込み信号が入力されると、上記割込み信号に対応して設定された動作内容での上記デバイスの動作を実行するよう制御する工程と、
を含むことを特徴とする制御方法。
【請求項８】
動作を行なうデバイスと、外部からの刺激のレベルを検出するセンサと、第１のＣＰＵと、第２のＣＰＵと、を有する装置の上記第１のＣＰＵを、
上記センサが検出するレベルが予め設定されたしきい値を超えない場合に上記センサから出力されるレベルに対応する動作内容を示す指示信号を生成して、上記第２のＣＰＵへ出力する手段、
上記第２のＣＰＵを、
上記第１のＣＰＵから上記指示信号が入力されると、上記指示信号が示す動作内容での上記デバイスの動作を実行するよう制御する手段、
上記センサが検出するレベルが上記しきい値以上の場合に出力される割込み信号が入力されると、上記割込み信号に対応して設定された動作内容での上記デバイスの動作を実行するよう制御する手段、
として機能させるためのプログラム。
【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
以下の式を有するキレート化合物であって、
（（ＮＨ４）２ＳＯ４）ａ・（Ｈ２ＳＯ４）ｂ・（Ｈ２Ｏ）ｃ・（ＮＨ４ＨＳＯ４）ｘ
ａが少なくとも１であり、ｂが少なくとも１であり、ｃが少なくとも１であり、またｘが１〜１０であり、ならびに
前記キレート化合物が、
３％〜６％の水素、
１０％〜１５％の窒素、
２５％〜３０％の硫黄、および
５２％〜６０％の酸素の元素組成を含んで成り、
前記キレート化合物が結晶性である、
キレート化合物。
【請求項２】
前記キレート化合物が含水性である、請求項１に記載のキレート化合物。
【請求項３】
前記キレート化合物が金属塩をキレート化することができる、請求項１に記載のキレート化合物。
【請求項４】
前記金属塩が、亜鉛、マグネシウム、マンガン、セレン、モリブデン、鉄、ホウ素、コバルト、銅の塩、またはそれらの組合せを含んで成る、請求項３に記載のキレート化合物。
【請求項５】
前記キレート化合物が、水と混合される場合に２未満のｐＨを有する、請求項１に記載のキレート化合物。
【請求項６】
ａが１であり、ｂが１であり、ｃが１であり、またｘが１〜６である、請求項１に記載のキレート化合物。
【請求項７】
分子中の窒素原子が−３の酸化状態を有する、請求項１に記載のキレート化合物。
【請求項８】
分子中の硫黄原子が＋６の酸化状態を有する、請求項１に記載のキレート化合物。
【請求項９】
以下の式を有するキレート化合物であって、
（（ＮＨ４）２ＳＯ４）ａ・（Ｈ２ＳＯ４）ｂ・（Ｈ２Ｏ）ｃ・（ＮＨ４ＨＳＯ４）ｘ
ａが少なくとも１であり、ｂが少なくとも１であり、ｃが少なくとも１であり、またｘが１〜１０であり、および
水と混合される場合に２未満のｐＨを有する、
キレート化合物。
【請求項１０】
キレート流体であって、
水溶液中に複数のキレート化合物を含んで成り、
該キレート化合物が以下の式を有し、
（（ＮＨ４）２ＳＯ４）ａ・（Ｈ２ＳＯ４）ｂ・（Ｈ２Ｏ）ｃ・（ＮＨ４ＨＳＯ４）ｘ
ａが複数のキレート化合物において１〜５の範囲であり、ｂが複数のキレート化合物において１〜５の範囲であり、ｃが複数のキレート化合物において１〜５の範囲であり、またｘが複数のキレート化合物において１〜１０の範囲であり、
前記キレート化合物が結晶性である、
キレート流体。
【請求項１１】
前記キレート化合物が含水性である、請求項１０に記載のキレート流体。
【請求項１２】
前記キレート流体が金属塩をキレート化することができる、請求項１０に記載のキレート流体。
【請求項１３】
前記金属塩が、亜鉛、マグネシウム、マンガン、セレン、モリブデン、鉄、ホウ素、コバルト、銅の塩、またはそれらの組合せを含む、請求項１２に記載のキレート流体。
【請求項１４】
前記キレート流体が２未満のｐＨを有する、請求項１０に記載のキレート流体。
【請求項１５】
ａが１であり、ｂが１であり、ｃが１であり、またｘが１〜６である、請求項１０に記載のキレート流体。
【請求項１６】
前記キレート化合物中の窒素原子が−３の酸化状態を有する、請求項１０に記載のキレート流体。
【請求項１７】
前記キレート化合物中の硫黄原子が＋６の酸化状態を有する、請求項１０に記載のキレート流体。
【請求項１８】
混合流体を形成するように、無水液体アンモニアおよび硫酸の第１部分をプロセス・ラインにおける流水に添加および混合すること、
前記混合流体を熱交換機に流すことによって該混合流体を冷却すること、ならびに
キレート化合物を含んで成る生成物流体を形成するように、硫酸の第１部分よりも多い硫酸の第２部分を前記混合流体に添加することを含んで成る方法によって形成され、
前記キレート化合物が金属塩をキレート化することができる、
キレート化合物。
【請求項１９】
前記金属塩が、亜鉛、マグネシウム、マンガン、セレン、モリブデン、鉄、ホウ素、コバルト、銅の塩、またはそれらの組合せを含む、請求項１８に記載のキレート化合物。
【請求項２０】
前記キレート化合物が結晶性である、請求項１８に記載のキレート化合物。
【請求項２１】
前記キレート化合物が含水性である、請求項１８に記載のキレート化合物。
【請求項２２】
農業用処理溶液であって、
以下の式を有するキレート化合物、
（（ＮＨ４）２ＳＯ４）ａ・（Ｈ２ＳＯ４）ｂ・（Ｈ２Ｏ）ｃ・（ＮＨ４ＨＳＯ４）ｘ
ａが１〜５であり、ｂが１〜５であり、ｃが１〜５であり、またｘが１〜１０であり、
１またはそれよりも多い金属塩、および
水を含んで成り、
前記金属塩が、亜鉛、マグネシウム、マンガン、セレン、モリブデン、鉄、ホウ素、コバルト、銅の塩、またはそれらの組合せを含んで成る、
溶液。
【請求項２３】
前記キレート化合物が前記金属塩をキレート化する、請求項２２に記載の溶液。
【請求項２４】
前記農業用処理溶液が２未満のｐＨを有する、請求項２２に記載の溶液。
【請求項２５】
農業用処理溶液を製造するための方法であって、
１またはそれよりも多い金属塩をベース生成物流体および水に添加することを含んで成り、
前記ベース生成物流体が、以下の式を有するキレート化合物を含んで成り、
（（ＮＨ４）２ＳＯ４）ａ・（Ｈ２ＳＯ４）ｂ・（Ｈ２Ｏ）ｃ・（ＮＨ４ＨＳＯ４）ｘ
ａが１〜５であり、ｂが１〜５であり、ｃが１〜５であり、またｘが１〜１０であり、
前記金属塩が、亜鉛、マグネシウム、マンガン、セレン、モリブデン、鉄、ホウ素、コバルト、銅の塩、またはそれらの組合せを含んで成る、
方法。
【請求項２６】
前記金属塩の前記キレート化合物への添加が、ほとんどまたは全く熱を発生させない、請求項２５に記載の方法。
【請求項２７】
前記農業用処理溶液が２未満のｐＨを有する、請求項２５に記載の方法。
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
遊技領域に発射された遊技球が該遊技領域内の始動口に入球することに基づいて抽選を行い、該抽選の結果に基づいて図柄を変動表示させる図柄変動遊技を行う遊技機において、
前記図柄変動遊技の結果として当り結果が導出された場合に所定の当り遊技を実行する当り遊技実行手段と、
前記当り遊技中の演出を制御する演出制御手段と、を備え、
前記当り遊技中は、所定の大入賞口を開閉する単位遊技が複数回行われるものであり、
一の前記単位遊技には、前記大入賞口にＮ個の遊技球が入賞可能に設定され、
前記演出制御手段は、一の前記単位遊技においてＮ＋１個以上の遊技球が前記大入賞口に入賞するオーバー入賞が発生したときにオーバー入賞時演出を実行するオーバー入賞時演出実行手段を有し、
一の前記単位遊技においてＮ＋２個以上の遊技球が前記大入賞口に入賞した場合には、前記オーバー入賞時演出が複数回実行されないように抑制され、
さらに、一の前記単位遊技においてＮ＋１個の遊技球が前記大入賞口に入賞した場合であっても、特定状況下では一の前記オーバー入賞時演出の実行が抑制される
ことを特徴とする遊技機。
【手続補正２】
【補正対象書類名】明細書
【補正対象項目名】０００４
【補正方法】変更
【補正の内容】
【０００４】
しかしながら、従来のパチンコ機等の演出と同等の演出を行っているだけでは、遊技興趣の低下を招く虞がある。
【手続補正３】
【補正対象書類名】明細書
【補正対象項目名】０００５
【補正方法】変更
【補正の内容】
【０００５】
本発明は、このような事情に鑑みてなされたものであり、その目的とするところは、遊技興趣の低下を抑制することができる遊技機を提供することにある。
【手続補正４】
【補正対象書類名】明細書
【補正対象項目名】０００７
【補正方法】変更
【補正の内容】
【０００７】
本発明は、
遊技領域に発射された遊技球が該遊技領域内の始動口に入球することに基づいて抽選を行い、該抽選の結果に基づいて図柄を変動表示させる図柄変動遊技を行う遊技機において、
前記図柄変動遊技の結果として当り結果が導出された場合に所定の当り遊技を実行する当り遊技実行手段と、
前記当り遊技中の演出を制御する演出制御手段と、を備え、
前記当り遊技中は、所定の大入賞口を開閉する単位遊技が複数回行われるものであり、
一の前記単位遊技には、前記大入賞口にＮ個の遊技球が入賞可能に設定され、
前記演出制御手段は、一の前記単位遊技においてＮ＋１個以上の遊技球が前記大入賞口に入賞するオーバー入賞が発生したときにオーバー入賞時演出を実行するオーバー入賞時演出実行手段を有し、
一の前記単位遊技においてＮ＋２個以上の遊技球が前記大入賞口に入賞した場合には、前記オーバー入賞時演出が複数回実行されないように抑制され、
さらに、一の前記単位遊技においてＮ＋１個の遊技球が前記大入賞口に入賞した場合であっても、特定状況下では一の前記オーバー入賞時演出の実行が抑制される
ことを特徴とする。
【手続補正５】
【補正対象書類名】明細書
【補正対象項目名】００１９
【補正方法】変更
【補正の内容】
【００１９】
本発明によれば、遊技興趣の低下を抑制することができる。
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
遊技メダル投入口と、
ブロッカと、
前記遊技メダル投入口から投入された遊技メダルが通過する通路中に設けられ、遊技メダルを検知し得る検知手段Ａ及び検知手段Ｂ（検知手段Ｂは、検知手段Ａより下流側に位置する）と
を備え、
所定の状況にて、電源の供給が遮断される事象が発生した時から、当該電源の供給が遮断される事象を検知し、電源断処理を実行する時までの期間の設計値をＴ１とし、
所定の状況にて、前記遊技メダル投入口から遊技メダルが投入される場合における、当該遊技メダルが投入された時から、当該遊技メダルがブロッカに到達する直前までの期間の設計値をＴ２とし、
所定の状況にて、前記遊技メダル投入口から遊技メダルが投入される場合における、当該遊技メダルを検知手段Ａが検知する時から、当該遊技メダルを検知手段Ｂが検知する時までの期間の設計値をＴ３としたとき、
Ｔ１＜Ｔ２、
Ｔ１＜Ｔ３
となっている遊技機。
【手続補正２】
【補正対象書類名】明細書
【補正対象項目名】０００５
【補正方法】変更
【補正の内容】
【０００５】
本発明に係る遊技機は、遊技メダル投入口と、ブロッカと、前記遊技メダル投入口から投入された遊技メダルが通過する通路中に設けられ、遊技メダルを検知し得る検知手段Ａ及び検知手段Ｂ（検知手段Ｂは、検知手段Ａより下流側に位置する）とを備え、所定の状況にて、電源の供給が遮断される事象が発生した時から、当該電源の供給が遮断される事象を検知し、電源断処理を実行する時までの期間の設計値をＴ１とし、所定の状況にて、前記遊技メダル投入口から遊技メダルが投入される場合における、当該遊技メダルが投入された時から、当該遊技メダルがブロッカに到達する直前までの期間の設計値をＴ２とし、所定の状況にて、前記遊技メダル投入口から遊技メダルが投入される場合における、当該遊技メダルを検知手段Ａが検知する時から、当該遊技メダルを検知手段Ｂが検知する時までの期間の設計値をＴ３としたとき、Ｔ１＜Ｔ２、Ｔ１＜Ｔ３となっている。
また、本発明は、以下の解決手段によって上述の課題を解決する（かっこ書きで、対応する実施形態の構成を示す。）。なお、本願の当初請求項に係る発明は、後述する当初発明１〜４のうち、当初発明１に相当する。本発明は、遊技媒体投入口（メダル投入口４７）と、遊技媒体投入口から投入された遊技媒体（メダル）の通路（メダル通路）中に設けられ、遊技媒体の通過を許可する状態（オン状態）又は遊技媒体の通過を不許可にする状態（オフ状態）に制御可能なブロッカ（４５）と、遊技媒体投入口から投入された遊技媒体の通路中に設けられ、遊技媒体を検知可能な検知手段Ａ（投入センサ４４ａ）及びＢ（投入センサ４４ｂ）（検知手段Ｂは、検知手段Ａより下流側に位置する）とを備え、遊技媒体の通過を許可する状態に前記ブロッカを制御している状況にて電源の供給が遮断される事象が発生した時から、当該電源の供給が遮断される事象を検知して、遊技媒体の通過を不許可にする状態に前記ブロッカを制御するまでの時間をＴ１（図２及び図３中、Ｔ１）とし、遊技媒体の通過を許可する状態に前記ブロッカを制御している状況にて遊技媒体が前記遊技媒体投入口から遊技機内部に向けて放たれる場合において、当該遊技媒体が遊技機正面から視認不可能となった時（図２中、Ｍ２の位置）から、当該遊技媒体を検知手段Ｂが検知して、当該遊技媒体を検知手段Ｂが検知しなくなるまで（図２中、Ｍ４の位置）の時間をＴ２（図２及び図３中、Ｔ２）としたとき、Ｔ１＜Ｔ２となるようにすることを特徴とする態様であってもよい。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
第1のヌクレアーゼドメインおよび改変Fcドメインを含むポリペプチドの有効量と、薬学的に許容される担体とを含む、（リボ）核タンパク質の過剰放出と関連のある病状を治療または予防するための薬学的組成物であって、該ポリペプチドが、SEQ ID NO：62、64、78、80、92、または96に記載のアミノ酸配列を含む、前記薬学的組成物。
【請求項２】
前記ポリペプチドがSEQ ID NO：96に記載のアミノ酸配列を含む、請求項1記載の薬学的組成物。
【請求項３】
第1のヌクレアーゼドメイン、第2のヌクレアーゼドメイン、および改変Fcドメインを含むポリペプチドの有効量と、薬学的に許容される担体とを含む、（リボ）核タンパク質の過剰放出と関連のある病状を治療または予防するための薬学的組成物であって、該ポリペプチドが、SEQ ID NO：66、68、70、82、84、86、94、または98に記載のアミノ酸配列を含む、前記薬学的組成物。
【請求項４】
前記ポリペプチドがSEQ ID NO：98に記載のアミノ酸配列を含む、請求項3記載の薬学的組成物。
【請求項５】
第1のヌクレアーゼドメインおよび改変Fcドメインを含むポリペプチドの有効量と、薬学的に許容される担体とを含む、ループス腎炎を治療または予防するための薬学的組成物であって、該ポリペプチドが、SEQ ID NO：62、64、78、80、92、または96に記載のアミノ酸配列を含む、前記薬学的組成物。
【請求項６】
前記ポリペプチドがSEQ ID NO：96に記載のアミノ酸配列を含む、請求項5記載の薬学的組成物。
【請求項７】
第1のヌクレアーゼドメイン、第2のヌクレアーゼドメイン、および改変Fcドメインを含むポリペプチドの有効量と、薬学的に許容される担体とを含む、ループス腎炎を治療または予防するための薬学的組成物であって、該ポリペプチドが、SEQ ID NO：66、68、70、82、84、86、94、または98に記載のアミノ酸配列を含む、前記薬学的組成物。
【請求項８】
前記ポリペプチドがSEQ ID NO：98に記載のアミノ酸配列を含む、請求項7記載の薬学的組成物。
【請求項９】
前記ポリペプチドが二量体ポリペプチドを含む、請求項1〜8のいずれか１項記載の薬学的組成物。
【請求項１０】
二量体ポリペプチドがホモ二量体である、請求項9記載の薬学的組成物。
【請求項１１】
前記改変Fcドメインが、Fcγ受容体、補体タンパク質、またはその両方との結合性が低下するように改変されている、請求項1〜10のいずれか一項記載の薬学的組成物。
【請求項１２】
前記ポリペプチドが、野生型Fcドメインを有するポリペプチドと比較して、少なくとも2分の1に、3分の1に、4分の1に、または5分の1に低下した細胞傷害作用を有する、請求項1〜10のいずれか一項記載の薬学的組成物。
【請求項１３】
前記改変Fcドメインが、
P238S、
P331S、
SCC（残基220、226、および229）、
SSS（残基220、226、および229）、
G236R、
L328R、
L234A、および
L235A
からなる群より選択される1つまたは複数の突然変異を有するアミノ酸配列を含む、請求項1〜10のいずれか一項記載の薬学的組成物。
【請求項１４】
前記改変Fcドメインが、突然変異SCCまたはSSS、P238S、およびP331Sを有するアミノ酸配列を含む、請求項1〜10のいずれか一項記載の薬学的組成物。
【請求項１５】
RNaseドメイン単独と比べて長い血清中半減期を有する、請求項1〜10のいずれか一項記載の薬学的組成物。
【請求項１６】
循環血中のRNA、DNA、もしくはRNAおよびDNAの両方を分解するか、または免疫複合体中のRNA、DNA、もしくはRNAおよびDNAの両方を分解するか、またはインターフェロン-α産生を阻害する、請求項1〜10のいずれか一項記載の薬学的組成物。
【請求項１７】
RNaseの活性が、対照RNase分子の活性の9分の1以上である、請求項1〜10のいずれか一項記載の薬学的組成物。
【請求項１８】
RNaseの活性が対照RNase分子の活性と等しい、請求項1〜10のいずれか一項記載の薬学的組成物。
【請求項１９】
前記ポリペプチドが、DNaseを含み、該DNaseの活性が対照DNase分子の活性の9分の1以上である、請求項3、4、および7〜10のいずれか一項記載の薬学的組成物。
【請求項２０】
前記ポリペプチドが、DNaseを含み、該DNaseの活性が対照DNase分子の活性と等しい、請求項3、4、および7〜10のいずれか一項記載の薬学的組成物。
【請求項２１】
前記ポリペプチドが、DNaseを含み、該DNaseドメイン単独と比べて長い血清中半減期を有する、請求項3、4、および7〜10のいずれか一項記載の薬学的組成物。
【請求項２２】
（リボ）核タンパク質の過剰放出と関連のある前記病状がSLEである、請求項1〜4および9〜21のいずれか一項記載の薬学的組成物。
【請求項２３】
（リボ）核タンパク質の過剰放出と関連のある前記病状がループス腎炎である、請求項1〜4および9〜21のいずれか一項記載の薬学的組成物。
【請求項２４】
（リボ）核タンパク質の過剰放出と関連のある前記病状がシェーグレン症候群である、請求項1〜4および9〜21のいずれか一項記載の薬学的組成物。
【請求項２５】
静脈内投与用に製剤化される、請求項1〜24のいずれか一項記載の薬学的組成物。
【請求項２６】
請求項1〜25のいずれか一項記載の薬学的組成物のポリペプチドをコードする核酸配列を含む、核酸分子。
【請求項２７】
請求項26記載の核酸分子を含む、組換え発現ベクター。
【請求項２８】
請求項27記載の組換え発現ベクターによって形質転換された、宿主細胞。
【請求項２９】
以下の段階を含む、請求項1〜25のいずれか一項記載の薬学的組成物のポリペプチドを作製する方法：
該ポリペプチドをコードする核酸配列を含む宿主細胞を用意する段階；および
該ポリペプチドが発現される条件下で該宿主細胞を維持する段階。
【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
ラクトバシルス・プランタラム培養上清物を有効成分とするサイクリックＡＭＰホスホジエステラーゼ活性阻害剤であって、
前記培養上清物は、酵母エキス０．４％以上およびグルコース２．０％以上含む液体培地を用いて得られた前記ラクトバシルス・プランタラムの培養液から、菌体を含む固形物を除去した上清であり、
前記ラクトバシルス・プランタラムの培養液は、ラクトバシルス・プランタラムによる植物発酵物を含まない
ことを特徴とするサイクリックＡＭＰホスホジエステラーゼ活性阻害剤。
【請求項２】
前記ラクトバシルス・プランタラムが、ラクトバシルス・プランタラム  ２２Ａ−１（ＦＥＲＭ  Ｐ−２１４０９）、ラクトバシルス・プランタラム  ２２Ａ−３（ＦＥＲＭ  Ｐ−２１４１１）、およびラクトバシルス・プランタラム  ２２Ｂ−２（ＦＥＲＭ  Ｐ−２１４１０）からなる群より選択される１または２以上である請求項１に記載のサイクリックＡＭＰホスホジエステラーゼ活性阻害剤。
【請求項３】
ラクトバシルス・プランタラム培養上清物を配合した化粧料であって、
前記培養上清物は、酵母エキス０．４％以上およびグルコース２．０％以上含む液体培地を用いて得られた前記ラクトバシルス・プランタラムの培養液から、菌体を含む固形物を除去した上清であり、
前記ラクトバシルス・プランタラムの培養液は、ラクトバシルス・プランタラムによる植物発酵物を含まず、
サイクリックＡＭＰホスホジエステラーゼ活性阻害用途に用いられる
ことを特徴とする化粧料。
【請求項４】
前記ラクトバシルス・プランタラムが、ラクトバシルス・プランタラム  ２２Ａ−１（ＦＥＲＭ  Ｐ−２１４０９）、ラクトバシルス・プランタラム  ２２Ａ−３（ＦＥＲＭ  Ｐ−２１４１１）、およびラクトバシルス・プランタラム  ２２Ｂ−２（ＦＥＲＭ  Ｐ−２１４１０）からなる群より選択される１または２以上である請求項３に記載の化粧料。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
［３−（（１Ｓ，３Ｒ）−１−ビフェニル−４−イルメチル−３−エトキシカルボニル−１−ブチルカルバモイル）プロピオネート−（Ｓ）−３’−メチル−２’−（ペンタノイル｛２’’−（テトラゾール−５−イル）ビフェニル−４’−イルメチル｝アミノ）ブチレート］三ナトリウム塩水和物の結晶多形体であって、
ＣｕＫα放射線を用いて測定した粉末Ｘ線回折パターンにおいて、回折角（２θ）が１２．８°±０．２°、１８．９°±０．２°及び２０．１°±０．２°の位置にピークを有する、結晶多形体ＩＩ。
【請求項２】
ＣｕＫα放射線を用いて測定した粉末Ｘ線回折パターンにおいて、さらに、回折角（２θ）が４．２°及び／又は５．７°の位置にピークを有する請求項１に記載の結晶多形体ＩＩ。
【請求項３】
図７に示す粉末Ｘ線回折パターンを有する請求項１又は２に記載の結晶多形体ＩＩ。
【請求項４】
１）［３−（（１Ｓ，３Ｒ）−１−ビフェニル−４−イルメチル−３−エトキシカルボニル−１−ブチルカルバモイル）プロピオネート−（Ｓ）−３’−メチル−２’−（ペンタノイル｛２’’−（テトラゾール−５−イル）ビフェニル−４’−イルメチル｝アミノ）ブチレート］三ナトリウム塩２．５水和物を１種以上のアルコール系溶媒に溶解させて溶液を形成させ、さらに１種以上の芳香族炭化水素系溶媒を加え、結晶多形体ＩＩが析出するまで得られた溶液を室温で撹拌する工程、又は、
２）［３−（（１Ｓ，３Ｒ）−１−ビフェニル−４−イルメチル−３−エトキシカルボニル−１−ブチルカルバモイル）プロピオネート−（Ｓ）−３’−メチル−２’−（ペンタノイル｛２’’−（テトラゾール−５−イル）ビフェニル−４’−イルメチル｝アミノ）ブチレート］三ナトリウム塩２．５水和物を、１種又は２種のアルコールと芳香族炭化水素を混合した溶媒に溶解させて溶液を形成させ、結晶多形体ＩＩが析出するまで得られた溶液を室温で揮発させる工程
を含む請求項１〜３のいずれか１項に記載の結晶多形体ＩＩの製造方法。
【請求項５】
前記アルコールはメタノールであり、前記芳香族炭化水素はトルエンである請求項４に記載の結晶多形体ＩＩの製造方法。
【請求項６】
請求項１〜３のいずれか１項に記載の結晶多形体ＩＩ、および薬学的に許容される担体を含む医薬組成物。
【請求項７】
高血圧、心不全、うっ血性心不全、左心室機能不全、肥大性心筋症、糖尿病性心筋症、上室性および心室性不整脈、心房細動、心房粗動、有害な血管リモデリング、心筋梗塞、アテローム性動脈硬化症、アンギナ、腎不全、狭心症、糖尿病、二次アルドステロン症、原発性および二次性肺高血圧症、および腎不全状態からなる群から選択される疾患または症状に罹患した患者を治療するための医薬品の製造のための、請求項６に記載の医薬組成物の使用。
【請求項８】
高血圧、心不全、うっ血性心不全、左心室機能不全、肥大性心筋症、糖尿病性心筋症、上室性および心室性不整脈、心房細動、心房粗動、有害な血管リモデリング、心筋梗塞、アテローム性動脈硬化症、アンギナ、腎不全、狭心症、糖尿病、二次アルドステロン症、原発性および二次性肺高血圧症、および腎不全状態からなる群から選択される疾患または症状に罹患した患者を治療するための医薬品の製造のための、請求項１〜３のいずれか１項に記載の結晶多形体ＩＩの使用。
【請求項９】
アンジオテンシン受容体１（ＡＴ１）およびネプリライシン（ＮＥＰ）の活性に関連する疾患または症状の悪化または発症を治療または遅延させるための医薬の製造における、請求項１〜３のいずれか１項に記載の結晶多形体ＩＩまたは請求項６に記載の医薬組成物の使用。
【請求項１０】
前記疾患または症状は、高血圧、心不全、うっ血性心不全、左心室機能不全、肥大性心筋症、糖尿病性心筋症、上室性および心室性不整脈、心房細動、心房粗動、有害な血管リモデリング、心筋梗塞、アテローム性動脈硬化症、アンギナ、腎不全、狭心症、糖尿病、二次アルドステロン症、原発性および二次性肺高血圧症、および腎不全状態からなる群から選択される、請求項９に記載の使用。
【請求項１１】
単位投与量の［３−（（１Ｓ，３Ｒ）−１−ビフェニル−４−イルメチル−３−エトキシカルボニル−１−ブチルカルバモイル）プロピオネート−（Ｓ）−３’−メチル−２’−（ペンタノイル｛２’’−（テトラゾール−５−イル）ビフェニル−４’−イルメチル｝アミノ）ブチレート］三ナトリウム塩水和物の請求項１〜３のいずれか１項に記載の結晶多形体ＩＩと、充填剤、崩壊剤、流動促進剤および潤滑剤からなる群から選択される少なくとも１種以上の賦形剤とを含む医薬固形製剤。
【請求項１２】
前記充填剤は、微結晶性セルロースおよび／またはヒドロキシプロピルセルロースであり、前記崩壊剤は架橋ポビドンであり、前記流動促進剤はコロイド状二酸化ケイ素であり、前記潤滑剤は滑石パウダーまたはステアリン酸マグネシウムである請求項１１に記載の医薬固形製剤。
【請求項１３】
錠剤またはカプセルである請求項１１又は１２に記載の医薬固形製剤。
【請求項１４】
高血圧、心不全、うっ血性心不全、左心室機能不全、肥大性心筋症、糖尿病性心筋症、上室性および心室性不整脈、心房細動、心房粗動、有害な血管リモデリング、心筋梗塞、アテローム性動脈硬化症、アンギナ、腎不全、狭心症、糖尿病、二次アルドステロン症、原発性および二次性肺高血圧症、および腎不全状態からなる群から選択される疾患または症状に罹患した患者を治療するための医薬品の製造のための、請求項１１〜１３のいずれか１項に記載の医薬固形製剤の使用。
【手続補正２】
【補正対象書類名】明細書
【補正対象項目名】００１３
【補正方法】変更
【補正の内容】
【００１３】
本発明により提供する超分子複合体は、化学名が［３−（（１Ｓ，３Ｒ）−１−ビフェニル−４−イルメチル−３−エトキシカルボニル−１−ブチルカルバモイル）プロピオネート−（Ｓ）−３’−メチル−２’−（ペンタノイル｛２’’−（テトラゾール−５−イル）ビフェニル−４’−イルメチル｝アミノ）ブチレート］三ナトリウム塩水和物であり、一般式Ｉで表される構造を有する。
【化１】
2020203936.tif 000001
（式中、Ｘは０．５〜４．０である。）
【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
一般式（1）：
CF2=CF-(CF2)n-4-CF=CF2      （1）
［式中、nは4〜20の整数を示す。］
で表されるパーフルオロアルカジエン化合物の製造方法であって、
有機溶媒中で、含窒素化合物、並びに亜鉛若しくは亜鉛合金の存在下に、
一般式（2）：
CF2X1-CFX2-(CF2)n-4-CF2-CF2X3      （2）
［式中、nは前記に同じである。X1、X2及びX3は同一又は異なって、X1及びX2はハロゲン原子を示し、X3は塩素原子、臭素原子又はヨウ素原子を示す。ただし、X1及びX2の双方がフッ素原子となることはない。］
で表される化合物を反応させる反応工程を備え、
前記反応工程は、亜鉛若しくは亜鉛合金並びに有機溶媒を含む溶液と、含窒素化合物と、前記一般式（2）で表される化合物とを逐次的に混合する混合工程を含み、前記混合工程は、前記亜鉛若しくは亜鉛合金並びに有機溶媒を含む溶液と、前記含窒素化合物とを混合し、次いで、得られた混合液と前記一般式（2）で表される化合物とを混合する工程を含む、製造方法。
【請求項２】
一般式（1）：
CF2=CF-(CF2)n-4-CF=CF2      （1）
［式中、nは4〜20の整数を示す。］
で表されるパーフルオロアルカジエン化合物の製造方法であって、
有機溶媒中で、含窒素化合物からなる添加剤、並びに亜鉛若しくは亜鉛合金の存在下に、
一般式（2）：
CF2X1-CFX2-(CF2)n-4-CF2-CF2X3      （2）
［式中、nは前記に同じである。X1、X2及びX3は同一又は異なって、X1及びX2はハロゲン原子を示し、X3は塩素原子、臭素原子又はヨウ素原子を示す。ただし、X1及びX2の双方がフッ素原子となることはない。］
で表される化合物を反応させる反応工程を備え、
前記反応工程は、亜鉛若しくは亜鉛合金並びに有機溶媒を含む溶液と、含窒素化合物と、前記一般式（2）で表される化合物とを逐次的に混合する混合工程を含む、製造方法。
【請求項３】
前記亜鉛若しくは亜鉛合金並びに有機溶媒を含む溶液に対して、前記含窒素化合物を前記亜鉛若しくは亜鉛合金1モルに対して0.1〜600mol/時間の添加速度で添加する、請求項１に記載の製造方法。
【請求項４】
前記混合工程は、亜鉛若しくは亜鉛合金並びに有機溶媒を含む溶液と、含窒素化合物とを混合する工程を含み、
前記亜鉛若しくは亜鉛合金並びに有機溶媒を含む溶液に対して、前記含窒素化合物を前記亜鉛若しくは亜鉛合金1モルに対して0.1〜600mol/時間の添加速度で添加する、請求項２に記載の製造方法。
【請求項５】
前記混合工程は、前記亜鉛若しくは亜鉛合金並びに有機溶媒を含む溶液と前記一般式（2）で表される化合物とを混合し、次いで、得られた混合液と前記含窒素化合物とを混合する工程である、請求項２又は４に記載の製造方法。
【請求項６】
前記混合工程は、前記亜鉛若しくは亜鉛合金並びに有機溶媒を含む溶液と、前記含窒素化合物とを混合し、次いで、得られた混合液と前記一般式（2）で表される化合物とを混合する、請求項２又は４に記載の製造方法。
【請求項７】
前記混合工程は、前記亜鉛若しくは亜鉛合金並びに有機溶媒を含む溶液と前記含窒素化合物との混合液に対して、前記一般式（2）で表される化合物を前記亜鉛若しくは亜鉛合金1モルに対して0.05〜30mol/時間の添加速度で添加する、請求項１、３又は６に記載の製造方法。
【請求項８】
前記混合工程は、前記亜鉛若しくは亜鉛合金並びに有機溶媒を含む溶液と前記含窒素化合物とを混合する際に前記溶液が50〜200℃の温度である、請求項１及び３〜７のいずれか1項に記載の製造方法。
【請求項９】
前記含窒素化合物がN,N-ジメチルホルムアミドである、請求項１〜８のいずれか1項に記載の製造方法。
【請求項１０】
前記有機溶媒の沸点が、前記含窒素化合物の沸点以下である、請求項１〜９のいずれか1項に記載の製造方法。
【請求項１１】
一般式（1）：
CF2=CF-(CF2)n-4-CF=CF2      （1）
［式中、nは4〜20の整数を示す。］
で表されるパーフルオロアルカジエン化合物と、
一般式（3）：
CF2=CF-(CF2)n-4-CF2-CF2H      （3）
［式中、nは前記に同じである。］
で表される化合物と、
一般式（4A）：
CF2X1-CFX2-(CF2)n-4-CF=CF2      （4A）
［式中、nは前記に同じである。X1及びX2は同一又は異なって、ハロゲン原子を示す。ただし、X1及びX2の双方がフッ素原子となることはない。］
で表される化合物、及び／又は一般式（4B）：
CF2H-CFX2-(CF2)n-4-CF2-CF2H      （4B）
［式中、nは前記に同じである。X2はハロゲン原子を示す。］
で表される化合物と、
一般式（5）：
CF2X1-CFX2-(CF2)n-4-CF2-CF2H      （5）
［式中、nは前記に同じである。X1及びX2は同一又は異なって、ハロゲン原子を示す。ただし、X1及びX2の双方がフッ素原子となることはない。］
で表される化合物と
を含有し、前記パーフルオロアルカジエン組成物の総量を100モル%として、前記一般式（1）で表されるパーフルオロアルカジエン化合物の含有量が50〜99.8モル%であり、前記一般式（4A）及び／又は（4B）で表される化合物の含有量が0.01〜5モル%であり、前記一般式（5）で表される化合物の含有量が0.05〜5モル%である、パーフルオロアルカジエン組成物。
【請求項１２】
前記一般式（1）で表されるパーフルオロアルカジエン化合物が、ヘキサフルオロブタジエンである、請求項１１に記載のパーフルオロアルカジエン組成物。
【請求項１３】
請求項１１又は１２に記載のパーフルオロアルカジエン組成物からなる、エッチングガス、冷媒、熱移動媒体、発泡剤又は樹脂モノマー。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を実行し、該抽選の結果に応じて利益を付与する遊技機であって、
前記抽選を含めた遊技進行を制御する遊技制御手段と、
前記抽選の結果に対応する演出を制御する演出制御手段と、
前記演出制御手段による制御に基づいて演出表示が行われる演出表示手段と、
を備え、
前記演出表示手段が有する表示領域には、前記抽選の結果に関連する演出図柄が変動表示される図柄表示領域と、前記抽選のうち未だ変動表示を開始していない保留情報が表示される保留表示領域とが設けられており、
前記保留表示領域は、複数の保留情報を表示可能な領域であり、
前記演出制御手段は、前記複数の保留情報が表示された状況下で前記演出表示手段が有する表示領域に対する前記保留表示領域の表示割合を変化させることで、保留情報の識別態様を変化させる表示割合変更手段を有する
ことを特徴とする遊技機。
【手続補正２】
【補正対象書類名】明細書
【補正対象項目名】０００４
【補正方法】変更
【補正の内容】
【０００４】
しかしながら、従来と同様の演出制御を行うだけでは、更なる遊技興趣の向上を図ることが困難であった。
【手続補正３】
【補正対象書類名】明細書
【補正対象項目名】０００５
【補正方法】変更
【補正の内容】
【０００５】
本発明は、このような事情に鑑みてなされたものであり、その目的とするところは、遊技興趣の更なる向上を図ることができる遊技機を提供することにある。
【手続補正４】
【補正対象書類名】明細書
【補正対象項目名】０００７
【補正方法】変更
【補正の内容】
【０００７】
（解決手段１）
所定条件の成立に基づいて抽選を実行し、該抽選の結果に応じて利益を付与する遊技機であって、
前記抽選を含めた遊技進行を制御する遊技制御手段と、
前記抽選の結果に対応する演出を制御する演出制御手段と、
前記演出制御手段による制御に基づいて演出表示が行われる演出表示手段と、
を備え、
前記演出表示手段が有する表示領域には、前記抽選の結果に関連する演出図柄が変動表示される図柄表示領域と、前記抽選のうち未だ変動表示を開始していない保留情報が表示される保留表示領域とが設けられており、
前記保留表示領域は、複数の保留情報を表示可能な領域であり、
前記演出制御手段は、前記複数の保留情報が表示された状況下で前記演出表示手段が有する表示領域に対する前記保留表示領域の表示割合を変化させることで、保留情報の識別態様を変化させる表示割合変更手段を有する
ことを特徴とする遊技機。
【手続補正５】
【補正対象書類名】明細書
【補正対象項目名】００１６
【補正方法】変更
【補正の内容】
【００１６】
本発明の遊技機においては、遊技興趣の更なる向上を図ることができる。
【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
スプリンクラーであって、
反対に配置される入口および出口を有するボアを画定する本体と、
前記出口に隣接して前記本体から延在する第１のアームであって、前記第１のアームは、前記出口に対して離間した関係で位置付けられる端部を有する、第１のアームと、
前記出口にシール係合する閉鎖部材と、
前記第１のアームの端部と前記閉鎖部材との間に位置付けられるトリガであって、前記トリガは、前記閉鎖部材の開放を可能にする、トリガと、
前記本体を囲繞する溝であって、前記溝は、前記入口と前記出口との間の前記本体内に位置付けられる、溝と、
前記本体から外向きに突出する突起であって、前記突起は、前記本体の周囲に延在するリングを備える、突起と
を備える、スプリンクラー。
【請求項２】
前記突起は、前記溝と前記出口との間に位置付けられる、請求項１に記載のスプリンクラー。
【請求項３】
前記本体の一部は、円筒形表面を備え、前記溝および前記リングは、前記表面の周囲に円周方向に延在する、請求項１に記載のスプリンクラー。
【請求項４】
前記出口に隣接して前記本体から延在する第２のアームであって、前記第１および第２のアームは、合流し、前記出口に対して離間した関係における頂点を形成する、第２のアーム
をさらに備え、
前記トリガは、前記頂点と前記閉鎖部材との間に位置付けられ、前記トリガは、熱に敏感であり、規定された温度に応答して、前記閉鎖部材の開放を可能にする、請求項１に記載のスプリンクラー。
【請求項５】
前記トリガは、易壊性バルブを備える、請求項４に記載のスプリンクラー。
【請求項６】
前記トリガは、はんだ連結を備える、請求項４に記載のスプリンクラー。